(57)【特許請求の範囲】
【請求項１】
背凭れ部と肘当て部とを備えた椅子であって、
前記背凭れ部は、背板と、該背板の前面に設けられた背張りとを有し、
前記肘当て部は、その上面が前記背凭れ部の前面よりも後方となる位置まで延在しており、
前記肘当て部の上面であり、且つ前記背凭れ部における前記背張りの前面よりも後方であり、且つ前記背板の前方となる位置に、配線差込口を設けたことを特徴とする椅子。
【請求項２】
請求項１記載の椅子において、
当該椅子の背面視で該配線差込口の少なくとも一部が前記背板によって隠されることを特徴とする椅子。
【請求項３】
請求項１又は２記載の椅子において、
前記肘当て部には、テーブルが備えられることを特徴とする椅子。
【請求項４】
請求項１又は２記載の椅子において、
当該椅子は、左右方向に複数並列されると共に、前記肘当て部が左右に隣接する椅子同士の間に設けられており、
前記左右に隣接する椅子の前記背凭れ部に設けられた背板同士は、互いの側面が当接又は近接して配置され、
前記配線差込口は、前記隣接する椅子の背板の前面に設けられた背張り同士の互いに対向する側面間であり、且つ後方が前記隣接する椅子の背板によって閉塞された位置に配置されることを特徴とする椅子。
【発明の詳細な説明】
【技術分野】
【０００１】
本発明は、電子機器の配線プラグ等を接続するための配線差込口を有する椅子に関する。
【背景技術】
【０００２】
近時、劇場や講堂、電車やバス等に備えられる椅子では、着席者がパソコンや通信端末等の携帯型の電子機器（電気機器）等を使用するために、その電源プラグを接続するためのコンセント（プラグ受け）が設置されることがある。
【０００３】
例えば、本出願人は、特許文献１において、前席の背凭れ部にコンセントを設け、後席の着席者が当該コンセントを利用することができる構成の椅子を提案している。
【先行技術文献】
【特許文献】
【０００４】
【特許文献１】特開２００６−１８１０９２号公報
【発明の概要】
【発明が解決しようとする課題】
【０００５】
コンセント等の配線差込口は、上記特許文献１のように背凭れ部に設けられる以外にも、例えば、椅子の側方に設けた肘当て部の先端部や側部に設置されることもある。配線差込口をこのような場所に設置することで、着席者の前方や手元付近に配線差込口が配置され、電源プラグ等の配線プラグを抜き差しする際の操作性や視認性を確保することができる。
【０００６】
ところが、配線差込口が前席の背凭れ部や、肘当て部の先端部或いは側部に設けられている場合には、着席者の手足の可動域に近いため、着席者が誤って配線プラグに触れてしまう可能性がある。また、当該椅子の前方や側方を通過する第三者が、誤って配線プラグや配線コードに引っ掛かり、不用意に配線プラグが抜かれてしまう懸念もあり、特に、前席の背凭れ部に配線差込口がある場合には、この配線差込口から着席者までの距離が長いため、配線コードが椅子の周囲に渡ることになり、周囲の通行の妨げとなることもある。
【０００７】
本発明は、上記従来技術の課題を考慮してなされたものであり、視認性や操作性に優れると共に、配線プラグ等の接続端子が着席者や第三者の邪魔になることを回避することができる配線差込口を有する椅子を提供することを目的とする。
【課題を解決するための手段】
【０００８】
本発明に係る椅子は、背凭れ部と肘当て部とを備えた椅子であって、前記背凭れ部は、背板と、該背板の前面に設けられた背張りとを有し、前記肘当て部は、その上面が前記背凭れ部の前面よりも後方となる位置まで延在しており、前記肘当て部の上面であり、且つ前記背凭れ部における前記背張りの前面よりも後方であり、且つ前記背板の前方となる位置に、配線差込口を設けたことを特徴とする。
【０００９】
このような構成によれば、肘当て部の上面であり、且つ背凭れ部の前面よりも後方となる位置に配線差込口を設けることで、当該椅子への着席者や周囲の第三者の手足が触れにくい位置に配線差込口が設置されるため、該配線差込口に接続された配線プラグ（接続端子）が着席者や第三者の邪魔になることを有効に回避することができる。しかも、配線差込口は、肘当て部の上面に設けられるため、視認性や操作性に優れ、配線プラグの抜き差しも容易となる。
【００１０】
当該椅子の背面視で該配線差込口の少なくとも一部が前記背板によって隠されると、当該椅子が前後方向に複数列が配置されている場合に、前席側の配線差込口を後方（後席側）から隠すことができ、後席の着席者が前席用の配線差込口を使用することを防止でき、しかも、後席の着席者が誤って前席用の配線差込口に接続された配線プラグに触れたり不用意に抜いてしまうことを未然に防ぐことができる。
【００１１】
前記肘当て部には、テーブルが備えられると、当該椅子の着席者は、例えば椅子の右側の肘当て部に設けたテーブルでパソコン等の電子機器を使用する際、その肘当て部の上面後方側に設けられた配線差込口に該電子機器の電源プラグ等を差し込むことができるため、利便性が高く、しかも電源プラグ等と電子機器との間を接続する配線コードを該肘当て部に沿って配置することができるため、配線コードが着席者や第三者の邪魔になることもない。また、例えば、前記テーブルが肘当て部の下方に収納可能な可動式テーブルの場合であっても、配線差込口が肘当て部の後方側に配置されていることで、該配線差込口を外部の電源設備等に接続するための配線を肘当て部の下方に設けられるテーブルの収納部等の後方側を通すことができ、配線の取り回しが容易であり、当該椅子の組み立て性やメンテナンス性を向上させることができる。
【００１２】
当該椅子は、左右方向に複数並列されると共に、前記肘当て部が左右に隣接する椅子同士の間に設けられており、前記左右に隣接する椅子の前記背凭れ部に設けられた背板同士は、互いの側面が当接又は近接して配置され、前記配線差込口は、前記隣接する椅子の背板の前面に設けられた背張り同士の互いに対向する側面間であり、且つ後方が前記隣接する椅子の背板によって閉塞された位置に配置されるとよい。そうすると、配線差込口を左右の椅子の背張り間であって、後方が背板によって完全に閉塞された空間に配置することができるため、配線差込口に接続された配線プラグが着席者や第三者の邪魔になること、及び、後席の着席者が誤って前席用の配線差込口を使用すること等を一層確実に防止することができる。
【発明の効果】
【００１３】
本発明によれば、肘当て部の上面であり、且つ背凭れ部の前面よりも後方となる位置に配線差込口を設けることで、当該椅子への着席者や周囲の第三者の手足が触れにくい位置に配線差込口が設置される。このため、配線差込口に接続された配線プラグが着席者や第三者の邪魔になることを有効に回避することができる。しかも、配線差込口は、肘当て部の上面に設けられるため、視認性や操作性に優れ、配線プラグの抜き差しも容易となる。
【図面の簡単な説明】
【００１４】
【図１】図１は、本発明の一実施形態に係る椅子の側面図である。
【図２】図２は、図１に示す椅子の平面図である。
【図３】図３は、図１に示す椅子の正面図である。
【発明を実施するための形態】
【００１５】
以下、本発明に係る椅子について好適な実施の形態を挙げ、添付の図面を参照しながら詳細に説明する。
【００１６】
図１は、本発明の一実施形態に係る椅子１０の側面図であり、劇場や講堂等において前後方向に多数配列された椅子１０のうち、所定の２列を図示したものである。また、図２は、図１に示す椅子１０の平面図であり、図３は、図１に示す椅子１０の正面図である。図２及び図３に示すように、本実施形態に係る椅子１０は、左右方向に並列された左席１０Ｌ、中席１０Ｍ、右席１０Ｒが３脚１組として一体的に連結されて床面上に設置される。
【００１７】
図１〜図３に示すように、椅子１０は、使用者が座るための座部１２と、座部１２への着席者が背中で寄り掛かる部分である背凭れ部（背、背部）１４と、着席者が肘を掛けるための肘当て部（肘、肘掛部）１６とを備える。
【００１８】
以下、本実施形態では、椅子１０として、図２及び図３に示すように左右方向に並んだ３脚の椅子１０である左席１０Ｌ、中席１０Ｍ、右席１０Ｒが一体的に連結され、脚部１８によって床面上に固定されると共に、この左右方向で３脚の組が、図１に示すように前後方向で後ろ上がりの階段状に並んで複数列配置された劇場用の椅子を例示して説明する。なお、椅子１０は、前後左右に１脚のみが単独で用いられるもの、又は左右に２脚若しくは４脚以上が連結して用いられるものであってもよく、さらには、劇場用以外、例えば、事務用や電車やバス等の車両用等の用途に用いられるものであってもよい。
【００１９】
座部１２は、その基端（後端）側の回動軸１９を中心として跳ね上げ可能な構成であり（図２及び図３中の右席１０Ｒに２点鎖線で示す座部１２参照）、非着席時には上方に跳ね上がって前席と後席との間に通路としての空間を確保することができる。勿論、座部１２は固定式のものでもよい。
【００２０】
肘当て部１６は、左右両端の椅子１０（左席１０Ｌ、右席１０Ｒ）の外側部にそれぞれ設置され、さらに、左右に隣接する椅子１０同士の中間部（左席１０Ｌと中席１０Ｍとの間、中席１０Ｍと右席１０Ｒとの間）に、両席共用となる１個が設置される。
【００２１】
肘当て部１６は、各脚部１８から上方に延びた基部フレーム２０の上端に前後方向に延びて設けられ、例えば木板によって形成される。左右両端の左席１０Ｌ及び右席１０Ｒの外側の基部フレーム２０は、その周囲が側面プレート２２によって覆われ、当該椅子１０の美観を向上させている。図１では、前後の椅子１０のうち、前席の椅子１０では側面プレート２２を装着した状態を示し、後席の椅子１０では側面プレート２２を取り外した状態を示している。
【００２２】
各椅子１０の右側に設けられた肘当て部１６には、可動式のテーブル２４が備えられている。テーブル２４は、例えば左右方向及び前後方向の２軸の回動軸を有する回動機構部２６を介して基部フレーム２０に連結されており、肘当て部１６の下方で前後方向及び上下方向に沿った収納姿勢から、肘当て部１６の前方で該肘当て部１６の上面と略平行する水平状態に横臥された使用姿勢へと可変する。肘当て部１６の収納姿勢は、図１中の前席の椅子１０と図２及び図３とに示し、肘当て部１６の使用姿勢は、図１中の後席の椅子１０と図２及び図３中の左席１０Ｌの２点鎖線とに示す。
【００２３】
このようなテーブル２４が設置された肘当て部１６、つまり各椅子１０の右側の肘当て部１６には、その上面後方側に配線差込口２８が設けられている。本実施形態の場合、テーブル２４や配線差込口２８は、各椅子１０の右側の肘当て部１６に設置されたものを当該椅子１０の着席者が使用する構成であるが、各椅子１０の左側に設けた構成としてもよい。
【００２４】
配線差込口２８としては、例えば、着席者がパソコンや通信端末等の携帯型の電子機器（電気機器）等の電源コード（配線コード）に設けられた図示しない電源プラグ（接続端子）を差し込むためのＡＣ１００Ｖのコンセント（プラグ受け）を挙げることができる。この場合、配線差込口２８は、例えば基部フレーム２０の内面側に沿って床面上まで延びた配線２９を介して所定の電源設備に接続されている。勿論、配線差込口２８は、電源用のコンセント以外であってもよく、例えば、ＬＡＮ（Ｌｏｃａｌ  Ａｒｅａ  Ｎｅｔｗｏｒｋ）用やＵＳＢ（Ｕｎｉｖｅｒｓａｌ  Ｓｅｒｉａｌ  Ｂｕｓ）用の配線プラグ（接続端子）を差し込むための端子口等であってもよく、さらには、前記コンセントや前記接続端子を複数並設した構成であってもよい。
【００２５】
背凭れ部１４は、図１中の後席の椅子１０に示すように、左右の基部フレーム２０、２０の内面後方にそれぞれ設けられた平面視Ｌ字状の支持ブラケット３０、３０の裏面に対し、図示しない取付ねじによって固定された木板等からなる背板３２と、背板３２の前面３２ａに張られた背張り（背クッション）３４とを備える。図２及び図３に示すように、背張り３４は、背板３２の前面３２ａの周縁部を除いた広範囲に設けられており、つまり背凭れ部１４では、図２に示す正面視で背張り３４の周囲を背板３２の前面３２ａが縁取るように露出している。なお、背板３２の上面中央には、各椅子１０の席番等を表示する表示部（表示プレート）３５が設けられている。
【００２６】
勿論、背凭れ部１４の構成は、背板３２の前面３２ａ全体に背張り３４を設けた構成や、背板３２の周囲を背張り３４で包み込んだ構成等であってもよく、さらには、背板３２及び背張り３４からなる構成以外、例えば、パイプフレーム等の周囲を張り材で覆った構成等であってもよい。
【００２７】
図２及び図３に示すように、左右に並ぶ２脚の椅子１０の背板３２同士、つまり、左席１０Ｌと中席１０Ｍの背板３２同士及び中席１０Ｍと右席１０Ｒの背板３２同士は、互いに対向（隣接）する側面同士が当接又は近接して設けられており、ほとんど隙間なく略一体的に並んでいる。これにより、左右に並ぶ２脚の椅子１０間の肘当て部１６の後方は、各椅子１０の背板３２によってほとんど隙間なく閉塞されている。一方、左右両端の椅子１０（左席１０Ｌ、右席１０Ｒ）の外側の肘当て部１６の後方は、左右方向で一部（半分）が該椅子１０の背板３２によって閉じられている。
【００２８】
従って、図１〜図３から諒解されるように、本実施形態の場合、配線差込口２８は、肘当て部１６の上面後方側に設置されると共に、背凭れ部１４の前面、つまり背張り３４の前面３４ａよりも後方位置で該背張り３４の側面３４ｂの側方に配置されると共に、背凭れ部１４の後面、つまり背板３２の後面よりも前方位置に配置されている。この際、配線差込口２８は、背板３２の前面３２ａの前方となる位置にあるため、左右に並ぶ２脚の椅子１０間の肘当て部１６に設けられた配線差込口２８では、その後方が各背板３２によって後席側から完全に隠され、左右両端の椅子１０の外側の肘当て部１６に設けられた配線差込口２８では、その後方が背板３２によって後席側から一部（半分）隠されている。
【００２９】
以上のように、本実施形態に係る椅子１０によれば、肘当て部１６の上面であり、且つ背凭れ部１４の前面である背張り３４の前面３４ａよりも後方となる位置に、配線差込口２８を設けている。これにより、椅子１０への着席者や周囲の第三者の手足が触れにくい位置に配線差込口２８が設置されるため、該配線差込口２８に接続された配線プラグ（接続端子）が着席者や第三者の邪魔になることを有効に回避することができる。しかも、配線差込口２８は、肘当て部１６の上面に設けられるため、視認性や操作性に優れ、配線プラグの抜き差しも容易となる。
【００３０】
この場合、配線差込口２８は、背張り３４の前面３４ａよりも後方であり、且つ背板３２の前面３２ａの前方となる位置に設けられると共に、当該椅子１０の背面視で該配線差込口２８の一部（例えば、右席１０Ｒ用の配線差込口２８）又は全部（例えば、左席１０Ｌ用、中席１０Ｍ用の配線差込口２８）が背板３２によって隠される。従って、図１に示すように、椅子１０が前後方向に複数列が配置されている場合に、前席側の配線差込口２８を後方（後席側）から隠すことができ、後席の着席者が前席用の配線差込口２８を使用することを防止でき、しかも、後席の着席者が誤って前席用の配線差込口２８に接続された配線プラグに触れたり不用意に抜いてしまうことを未然に防ぐことができる。
【００３１】
特に、図２及び図３に示す左席１０Ｌと中席１０Ｍ及び中席１０Ｍと右席１０Ｒのように、左右に隣接する椅子１０の背板３２同士では、互いに対向する側面同士が当接又は近接して設けられるため、その間の肘当て部１６に設置された配線差込口２８は、左右の椅子１０の背張り３４同士の対向する側面３４ｂ間であって、後方が左右の椅子１０の背板３２によって閉塞された位置（空間）に配置される。このため、配線差込口２８に接続された配線プラグが着席者や第三者の邪魔になること、及び、後席の着席者が誤って前席用の配線差込口２８を使用すること等を一層確実に防止することができる。
【００３２】
また、椅子１０では、配線差込口２８を設けた肘当て部１６にテーブル２４を備えており、換言すれば、テーブル２４付き肘当て部１６の上面後方側に配線差込口２８を設けている。このため、当該椅子１０の着席者は、例えば右側の肘当て部１６に設けたテーブル２４でパソコン等の電子機器を使用する際、その肘当て部１６の上面後方側に設けられた配線差込口２８に該電子機器の電源プラグ等を差し込むことができ、利便性が高く、しかも電源プラグ等と電子機器との間を接続する配線コードを該肘当て部１６に沿って配置することができるため、該配線コードが着席者や第三者の邪魔になることもない。
【００３３】
しかも、配線差込口２８が肘当て部１６の後方側に配置されているため、該配線差込口２８を外部の電源設備等に接続するための配線２９を、図１に示すように、肘当て部１６の下方（肘箱内）に設けられるテーブル２４の収納部等の後方側を通すことができ、配線２９の取り回しが容易であり、組み立て性やメンテナンス性が向上する。一方、上記従来技術のように、仮に、配線差込口２８を肘当て部１６の先端部或いはその側部に設けた場合には、肘箱内でテーブル２４の収納部等を避けて配線２９を取り回す必要があり、組み立て性やメンテナンス性が低下することになる。
【００３４】
なお、本発明は、上記した実施形態に限定されるものではなく、本発明の主旨を逸脱しない範囲で自由に変更できることは勿論である。
【００３５】
例えば、上記実施形態では、リクライニング機能を持たない背凭れ部１４を備えた椅子１０を例示したが、配線差込口２８は、リクライニング機能を持った椅子の肘当て部に設けても勿論よい。この場合には、少なくとも背凭れ部のリクライニング範囲の一部（例えば、背凭れ部を最も起こした状態や、通常の着席状態で使用される背凭れ部のリクライニング範囲）又は全部において、背凭れ部の前面よりも後方となる位置に配線差込口２８を設けた構成とするとよい。
【符号の説明】
【００３６】
１０  椅子
１２  座部
１４  背凭れ部
１６  肘当て部
２４  テーブル
２８  配線差込口
３２  背板
３４  背張り
【図１】
0005959825.tif 000002
【図２】
0005959825.tif 000003
【図３】
0005959825.tif 000004